(57)【要約】【課題】一般家庭における衣服の整理や廃棄を効率的になし得るようにする、住宅における衣服の管理方法を提供する。【解決手段】入力に応答して衣服データベースを作成する手順と、前記衣服データベースは、管理番号が入力される管理番号入力欄と、購入日や初めての収納日が入力される初日欄と、衣服の種類が入力される種類欄と、衣服の収納場所が入力される収納欄と、衣服の特徴が入力されるキーワード欄と、衣服の管理状態が入力される状態欄と、衣服の特記事項が入力される特記欄とを含み、入力されたキーワードおよび管理状態を表すワードにより前記衣服データベース内を検索して該当する衣服データを抽出する手順と、前記抽出された衣服データのリストを作成する手順とを含み、前記リストが収納欄を含むものである。【選択図】図１
2014142857.tif 000002
【特許請求の範囲】
【請求項１】
衣装管理アプリにより衣服の管理をなす住宅における衣服の管理方法であって、
入力に応答して衣服データベースを作成する手順と、
前記衣服データベースは、管理番号が入力される管理番号入力欄と、衣服の購入日または初めての収納日が入力される初日欄と、衣服の種類が入力される種類欄と、衣服の収納場所が入力される収納欄と、衣服の特徴が入力されるキーワード欄と、衣服の管理状態が入力される状態欄と、衣服の特記事項が入力される特記欄とを含み、
入力されたキーワードおよび管理状態を表すワードにより前記衣服データベース内を検索して該当する衣服データを抽出する手順と、
前記抽出された衣服データのリストを作成する手順
とを含み、
前記リストが収納欄を含む
ことを特徴とする住宅における衣服の管理方法。
【請求項２】
状態欄に入力されているワードが、衣服が収納状態にあることを示すワードとされ、
衣服の種類に関するワードと、前記収納状態にあることを示すワードとにより、着用候補の衣服データを衣服データベース内から抽出することを特徴とする請求項１記載の住宅における衣服の管理方法。
【請求項３】
着用候補の衣服と同時に着用する衣服の種類に関するワードと、前記収納状態にあることを示すワードとにより、同時着用候補の衣服データを衣服データベース内から抽出することを特徴とする請求項２記載の住宅における衣服の管理方法。
【請求項４】
状態欄に入力されているワードが、衣服が持出状態にあることを示すワードとされ、
衣服の種類に関するワードと、前記持出状態にあることを示すワードとにより、収納場所候補データを衣服データベース内から抽出することを特徴とする請求項１記載の住宅における衣服の管理方法。
【請求項５】
状態欄に入力されているワードが、衣服が洗濯状態にあることを示すワードとされ、
前記洗濯状態にあることを示すワードにより、収納場所候補データを衣服データベース内から抽出することを特徴とする請求項１記載の住宅における衣服の管理方法。
【請求項６】
状態欄に入力されているワードが、衣服がクリーニングに出されている状態にあることを示すワードとされ、
衣服の種類に関するワードと、前記状態にあることを示すワードとにより、収納場所候補データを衣服データベース内から抽出することを特徴とする請求項１記載の住宅における衣服の管理方法。
【請求項７】
状態欄に入力されているワードが、衣服が保留状態にあることを示すワードとされ、
前記保留状態にあることを示すワードにより、保留状態にある衣服データを衣服データベース内から抽出することを特徴とする請求項１記載の住宅における衣服の管理方法。
【請求項８】
保留状態にある衣服データのリストが定期的に自動表示されることを特徴とする請求項７記載の住宅における衣服の管理方法。
【請求項９】
保留状態が初日から一定期間経過に自動的になされることを特徴とする請求項８記載の住宅における衣服の管理方法。
【請求項１０】
保留状態にある衣服が廃棄された場合、廃棄衣服データが作成され、前記廃棄衣服データに廃棄日時が記入される欄が設けられてなることを特徴とする請求項７または８記載の住宅における衣服の管理方法。
【請求項１１】
衣服データベースが衣服の廃棄予定日が入力される廃棄予定日欄を含むことを特徴とする請求項１記載の住宅における衣服の管理方法。
【請求項１２】
衣服データベースが使用者名が入力される使用者名入力欄を含むことを特徴とする請求項１記載の住宅における衣服の管理方法。
【請求項１３】
衣服データベースが衣服の写真番号が入力される写真番号入力欄を含むことを特徴とする請求項１記載の住宅における衣服の管理方法。
【請求項１４】
写真番号欄が当該写真番号の写真データとリンクが貼られていることを特徴とする請求項１３記載の住宅における衣服の管理方法。
【請求項１５】
状態欄に入力されているワードが、衣服が廃棄状態にあることを示すワードとされ、当該廃棄状態とされた衣服データが一定期間経過後に衣服データヘースから自動的に削除されることを特徴とする請求項１記載の住宅における衣服の管理方法。  
【請求項１６】
管理番号のリナンバリングがなされることを特徴とする請求項１４記載の住宅における衣服の管理方法。
【請求項１７】
リンクが貼られている写真データの写真番号のリナンバリングも同時になされることを特徴とする請求項１５記載の住宅における衣服の管理方法。
【請求項１８】
状態欄に入力されているワードが、衣服が収納状態にあることを示すワードとされ、
衣服の種類に関するワードと、前記収納状態にあることを示すワードとにより、着用候補の衣服データを衣服データベース内から抽出する手順と、
前記抽出された衣服のリストを作成する手順と、
着用候補の衣服と同時に着用する衣服の種類に関するワードと、前記収納状態にあることを示すワードとにより、同時着用候補の衣服データを衣服データベース内から抽出する手順と、
前記抽出された同時着用衣服のリストを作成する手順と、
入力に応答してコーディネート・ウインドウを開く手順と、
前記コーディネート・ウインドウに着用候補の衣服の写真を配置する手順と、
同コーディネート・ウインドウに同時着用候補の衣服の写真を配置する手順
とを含むことを特徴とする請求項１４記載の住宅における衣服の管理方法。
【請求項１９】
着用候補の衣服の写真の縮尺と、同時着用候補の衣服の写真の縮尺とを一致させることを特徴する請求項１８記載の住宅における衣服の管理方法。
【請求項２０】
着用候補の衣服の写真または同時着用候補の衣服の写真を拡大・縮小することにより縮尺が一致させられることを特徴とする請求項１９記載の住宅における衣服の管理方法。
【請求項２１】
抽出されたデータが変更された場合、その変更に基づいて衣服データベースが更新されることを特徴とする請求項２，３，４，５，６，７または１８記載の住宅における衣服の管理方法。  
【発明の詳細な説明】
【技術分野】
【０００１】
本発明は、住宅における衣服の管理方法に関する。さらに詳しくは、家庭内における不用衣服の整理を支援する住宅における衣服の管理方法に関する。
【背景技術】
【０００２】
従来より、一般家庭では、いわゆる衣替えの時期に、不要な衣類の廃棄がなされている。
【０００３】
また、一般家庭では、衣服は衣装ケースや洋服ダンスに収納されているが、年月を経るにしたがって、衣服が増えてどこにしまっているかわからなくなり、探し出すのに時間がかかるというようなことも起こっている。
【０００４】
また、人によってはいつか使うだろうとか、いつか着る機会があるだろうとかいって、物や衣服を知らず知らずのうちに溜めこんでしまい、家が物や衣服であふれかえってしまうというようなことも起こっている。
【０００５】
なお、冷蔵庫における物の保管に関しては、特許文献１に提案がなされている。
【先行技術文献】
【特許文献】
【０００６】
【特許文献１】特許第３６３９４０８号公報
【発明の開示】
【発明が解決しようとする課題】
【０００７】
本発明はかかる従来技術の課題に鑑みなされたものであって、一般家庭における衣服の整理や廃棄を効率的になし得るようにする、住宅における衣服の管理方法を提供することを目的としている。
【課題を解決するための手段】
【０００８】
本発明は、衣装管理アプリにより衣服の管理をなす住宅における衣服の管理方法であって、入力に応答して衣服データベースを作成する手順と、前記衣服データベースは、管理番号が入力される管理番号入力欄と、衣服の購入日または初めての収納日が入力される初日欄と、衣服の種類が入力される種類欄と、衣服の収納場所が入力される収納欄と、衣服の特徴が入力されるキーワード欄と、衣服の管理状態が入力される状態欄と、衣服の特記事項が入力される特記欄とを含み、入力されたキーワードおよび管理状態を表すワードにより前記衣服データベース内を検索して該当する衣服データを抽出する手順と、前記抽出された衣服データのリストを作成する手順とを含み、前記リストが収納欄を含むことを特徴とする住宅における衣服の管理方法である。 
【０００９】
本発明においては、状態欄に入力されているワードが、例えば、衣服が収納状態にあることを示すワードとされ、衣服の種類に関するワードと、前記収納状態にあることを示すワードとにより、着用候補の衣服データを衣服データベース内から抽出するのが好ましい。その場合、着用候補の衣服と同時に着用する衣服の種類に関するワードと、前記収納状態にあることを示すワードとにより、同時着用候補の衣服データを衣服データベース内から抽出するようにされるのがさらに好ましい。
【００１０】
また、本発明においては、状態欄に入力されているワードが、例えば、衣服が持出状態にあることを示すワードとされ、衣服の種類に関するワードと、前記持出状態にあることを示すワードとにより、収納場所候補データを衣服データベース内から抽出するようにされるのも好ましい。
【００１１】
また、本発明においては、状態欄に入力されているワードが、例えば、衣服が洗濯状態にあることを示すワードとされ、前記洗濯状態にあることを示すワードにより、収納場所候補データを衣服データベース内から抽出するようにされるのも好ましい。
また、本発明においては、状態欄に入力されているワードが、例えば、衣服がクリーニングに出されている状態にあることを示すワードとされ、衣服の種類に関するワードと、前記状態にあることを示すワードとにより、収納場所候補データを衣服データベース内から抽出するようにされるのも好ましい。
【００１２】
また、本発明においては、状態欄に入力されているワードが、例えば、衣服が保留状態にあることを示すワードとされ、前記保留状態にあることを示すワードにより、保留状態にある衣服データを衣服データベース内から抽出するようにされるのも好ましい。その場合、保留状態にある衣服データのリストが定期的に自動表示されるようにされるのがさらに好ましい。また、保留状態にある衣服が廃棄された場合、廃棄衣服データが作成され、前記廃棄衣服データに廃棄日時が記入される欄が設けられるようにされてもよい。なお、保留状態は初日から一定期間経過後に自動的になれてもよい。
【００１３】
また、本発明においては、衣服データベースが衣服の廃棄予定日が入力される廃棄予定日欄を含むのが好ましい。
また、本発明においては、衣服データベースが使用者名が入力される使用者名入力欄を含むのが好ましい。
【００１４】
また、本発明においては、衣服データベースが衣服の写真番号が入力される写真番号入力欄を含むようにされるのが好ましい。その場合、写真番号欄が当該写真番号の写真データとリンクが貼られているのがさらに好ましい。
【００１５】
また、本発明においては、状態欄に入力されているワードが、例えば、衣服が廃棄状態にあることを示すワードとされ、当該廃棄状態とされた衣服データが一定期間経過後に衣服データヘースから自動的に削除されるようにされるのが好ましい。その場合、管理番号のリナンバリングがなされたり、リンクが貼られている写真データの写真番号のリナンバリングも同時になされたりするのがさらに好ましい。
【００１６】
また、本発明においては、状態欄に入力されているワードが、例えば、衣服が収納状態にあることを示すワードとされ、衣服の種類に関するワードと、前記収納状態にあることを示すワードとにより、着用候補の衣服データを衣服データベース内から抽出する手順と、前記抽出された衣服のリストを作成する手順と、着用候補の衣服と同時に着用する衣服の種類に関するワードと、前記収納状態にあることを示すワードとにより、同時着用候補の衣服データを衣服データベース内から抽出する手順と、前記抽出された同時着用衣服のリストを作成する手順と、入力に応答してコーディネート・ウインドウを開く手順と、前記コーディネート・ウインドウに着用候補の衣服の写真を配置する手順と、同コーディネート・ウインドウに同時着用候補の衣服の写真を配置する手順とを含むようにされるのが好ましい。その場合、着用候補の衣服の写真の縮尺と、同時着用候補の衣服の写真の縮尺とを、例えば、着用候補の衣服の写真または同時着用候補の衣服の写真を拡大・縮小することにより一致させるようにされるのがさらに好ましい。
【００１７】
また、本発明においては、抽出されたデータが変更された場合、その変更に基づいて衣服データベースが更新されるのが好ましい。
【発明の効果】
【００１８】
本発明は前記の如く構成されているので、衣服の管理が効率よくなされるという優れた効果を奏する。
【００１９】
本発明の好ましい形態によれば、廃棄するか否か迷って保留状態にされている衣服のリストが定期的に表示されるようにされているので、きっぱりとした処理が必要となり、整理が促進されるという優れた効果を奏する。
【図面の簡単な説明】
【００２０】
【図１】本発明の一実施形態に係る衣服の管理方法が適用対象となる住宅の一例の平面図である。
【図２】同住宅のクローゼットの概略図である。
【図３】同住宅の整理ダンスの正面図である。
【図４】同実施形態に用いられる衣服データベースの部分テーブル図である。
【図５】表紙部に表示されるＴシャツのリストのテーブル図である。
【図６】表紙部に表示されるパンツのリストのテーブル図である。
【図７】表紙部に表示されるコーディネート・ウインドウにＴシャツとパンツを配置した状態を示す図である。
【図８】表紙部に表示されるコートのリストのテーブル図である。
【図９】表紙部に表示されるカッターシャツのリストのテーブル図である。
【図１０】表紙部に表示される洗濯中の衣服リストのテーブル図である。
【図１１】表紙部に表示される保留中の衣服リストのテーブル図である。
【図１２】表示部に表示される廃棄された衣服の衣服リストのテーブル図である。
【発明を実施するための形態】
【００２１】
以下、添付図面を参照しながら本発明を実施形態に基づいて説明するが、本発明はかかる実施形態のみに限定されるものではない。
【００２２】
実施形態１
本実施形態は、図１に示すようなワンルームでシングルライフを楽しむ独身女性の衣服の整理や管理を、衣服管理アプリを利用してなすものとされる。
衣服管理アプリは、衣服データベースを作成する機能、衣服データベース内を検索する機能、検索して抽出したデータのリストを作成する機能、期限管理をなす機能、サブウインドウ内に写真を配置する機能、表示部に表示する写真を拡大・縮小する機能、表示部に表示された写真を削除する機能などをスマートホンやタブレット端末（以下、管理端末という）に実現させるものとされる。なお、かかる機能は、公知のソフトを用いて実現でき、かつ、そのソフトに特に限定はない。
【００２３】
ここで、本実施形態における衣服の整理場所および衣服整理用具は、備え付けのクローゼット１、クローゼット１に収納された衣装ケース２、室内に置かれた整理ダンス３および衣装掛け４とされる。
【００２４】
また、衣装ケース２は、図２に示すように、夏物衣装ケース、冬物衣装ケース、小物ケースの三種類とされ、整理ダンス３は、図３に示すように、引出が７段とされ、最上段の引出が２分割されて小引出とされている。
【００２５】
以下、図２〜図１１を参照しながら、かかる衣装整理用具を用いた衣服の整理および管理について説明する。
【００２６】
データベース化処理
衣服管理アプリが格納され、かつ、撮像機能を有するスマートホンやタブレット端末（以下、管理端末という）により、衣服の収納場所に関する衣服データベースおよび衣服の写真データを作成する。図４に衣服データベースの部分テーブル図を示す。
データベースは、図４に示すように、整理番号入力欄、種類入力欄、収納場所入力欄、キーワード入力欄、状態入力欄、購入年月日入力欄、写真番号入力欄、および特記事項入力欄を有するものとされる。なお、購入年月日入力欄には、当該衣服が最初に収納された収納日、つまり初めての収納日が入力されるようにされてもよい。
【００２７】
整理番号入力欄は、例えばＣ１から始まる一貫番号が入力される欄とされる。
種類入力欄は、ワンピース、Ｔシャツ、カッターシャツ、ジーンズ、ショートパンツ、ゆかた、スカート、水着、セーター、ジャンパー、コート、バジャマ、ネグリジェ、ブラジャー、ショーツ、パンスト、ハイソックス、靴下、マフラーなどの衣服の種類が入力される欄とされる。
【００２８】
収納場所入力欄は、夏物衣装ケース、整理ダンス三段目など当該衣服が収納される場所が入力される欄とされる。
【００２９】
キーワード入力欄は、使用した衣服を収納する際や衣服を着る際に、収納場所を検索するための当該衣服を特定するためのキーワードが入力される欄とされる。例えば、Ｔシャツ、赤、半袖、ワンポイント、ハートマークなどのように、その衣服を特徴づけるワードが入力されるものとされる。
【００３０】
状態入力欄は、当該衣服がどのような管理状態にあるかが入力される欄とされる。例えば、当該衣服を着用中であれば、「使用」と入力するものとされ、クリーニング中や洗濯中であれば、「洗濯」と入力するものとされ、当初の収納場所に収納されあるいは同じ場所に収納したのであれば、「収納」と入力するものとされ、例えば新たに衣装ケースを購入して収納場所を変更して収納したのであれば、「収納・変更」と入力するものとされ、廃棄したのであれば、「廃棄」と入力するものとされ、廃棄するか否か迷っているのであれば、「保留」と入力するものとされている。
【００３１】
なお、本実施形態では、「廃棄」と入力された衣服については、一定期間経過後に自動的に衣服データベースから削除されるとともに、廃棄リストが作成されるようにされている。
【００３２】
購入年月日入力欄は、当該衣服を購入した年月日が入力される欄とされる。この場合、ｘｘ年春、ｙｙ年夏などのように入力されてもよいもとされる。
【００３３】
写真番号入力欄は、最初に収納する際に撮像した写真を格納する写真ホルダーの名称および写真番号が入力される欄とされる。写真番号は整理番号と関連づけて付与されるものとされる。例えば、整理番号がＣ１であれば、写真番号はＣ１Ｐとされる。なお、衣服を撮影する際には、背面が白または黒の幕を張って行うのが好ましい。
【００３４】
また、写真番号入力欄は、写真ホルダーに格納されている写真とリンクが貼られていて、その入力欄をクリックすると、写真ウインドウが開いて当該衣服の写真が表示されるようにされている。
【００３５】
特記事項入力欄は、当該衣服についての特記事項が入力される欄とされている。例えば、母からの入社祝い、Ａ君からの誕生祝い、Ｂ君からのクリスマスプレゼントなどの特筆すべき情報が入力される。
【００３６】
次に、かかる構成とされた衣服データベースおよび写真を利用した衣服の整理および管理について説明する。
【００３７】
Ａ．衣服を着用する場合
例えば、Ｔシャツを選択する場合を例に取り説明すれば、以下のようになる。
【００３８】
手順１:データベース内検索手段を起動する。
【００３９】
手順２:検索キーワード入力欄に検索キーワードを入力する。つまり、「Ｔシャツ」および「収納」と入力する。
【００４０】
手順３:データベース内検索手段は、検索キーワードの入力に応答して衣服データベース内から収納中の「Ｔシャツ」を抽出してＴシャツリストを作成する。
【００４１】
手順４: データベース内検索手段は、作成したＴシャツリストを表示部に表示する。図５に、表示されるＴシャツリストの一例を示す。
【００４２】
手順５: 表示されたＴシャツリストの中から好みのＴシャツを選んで、当該Ｔシャツのデータを「収納」から「使用」に変更して衣服データベースを更新する。
【００４３】
しかして、選んだＴシャツを収納場所から取り出して着用する。なお、Ｔシャツリストの表示データのみで選ぶことができない場合には、写真番号入力欄をクリックして当該Ｔシャツの写真を表示させる。
【００４４】
続けてパンツを選択する場合は、以下のようになる。
【００４５】
手順６: 検索キーワード入力欄に検索キーワードを入力する。つまり、「パンツ」および「収納」と入力する。
【００４６】
手順７: データベース内検索手段は、検索キーワードの入力に応答して衣服データベース内から収納中の「パンツ」を抽出してパンツリストを作成する。
【００４７】
手順８: データベース内検索手段は、作成したパンツリストを表示部に表示する。図６に、表示されるパンツリストの一例を示す。
【００４８】
手順９: 表示されたパンツリストの中から好みのパンツを選んで、当該パンツのデータを「収納」から「使用」に変更して衣服データベースを更新する。
【００４９】
しかして、表示されたパンツリストの中から好みのパンツを選んで収納場所から取り出して着用する。なお、パンツリストの表示データのみで選ぶことができない場合には、写真番号入力欄をクリックして当該パンツの写真を表示させる。
【００５０】
次に、選んだＴシャツおよびパンツを画面上でコーディネートさせる場合について説明する。
【００５１】
手順１０:コーディネート手段を起動してコーディネート・ウインドウを開く。
【００５２】
手順１１:選んだＴシャツおよびパンツの写真をコーディネート・ウインドウに配置する。例えば、ドラッグ・アンド・ドロップにより、Ｔシャツおよびパンツの写真をコーディネート・ウインドウに配置する（図７参照）。
【００５３】
手順１２: Ｔシャツまたはパンツを選択する。例えば、Ｔシャツを選択する。
【００５４】
手順１３:選択したＴシャツを拡大または縮小してパンツと同一の縮尺とする。
【００５５】
このように、本実施形態によれば、衣服が収納されている衣装ケースなどを開けることなく、好みの衣服を選ぶことができる。そのため、衣服を選ぶ際の時間が短縮されるとともに、無駄な衣装ケースの出し入れがなくなる。
【００５６】
また、コーディネート機能を利用すれば、実際に行う服合わせの回数を低減させることができ、服合わせが効率的になし得る。
【００５７】
Ｂ．衣服を収納する場合
例えば、コートを収納する場合を例に取り説明すれば、以下のようになる。
【００５８】
手順２１: データベース内検索手段を起動する。
【００５９】
手順２２: 検索キーワード入力欄に検索キーワードを入力する。つまり、「コート」および「使用」と入力する。
【００６０】
手順２３: データベース内検索手段は、検索キーワードの入力に応答して衣服データベース内から使用中の「コート」を抽出してコートリストを作成する。
【００６１】
手順２４: データベース内検索手段は、作成したコートリストを表示部に表示する。図８に、表示されるコートリストの一例を示す。
【００６２】
手順２５: 表示されたコートリストの中から当該コートの収納場所を確認して、当該コートのデータを「使用」から「収納」に変更して衣服データベースを更新する。なお、コートリストの表示データのみで収納場所を特定することができない場合には、写真番号入力欄をクリックしてコートの写真を表示させる。
【００６３】
しかして、コートリストにより確認した収納場所に当該コートを収納する。
【００６４】
このように、本実施形態によれば、収納場所に迷うことなく、迅速に元の場所にコートを収納することができる。
【００６５】
Ｃ．衣服をクリーニングして収納する場合
例えば、クリーニングに出しておいたカッターシャツを収納する場合を例に取り説明すれば、以下のようになる。
【００６６】
手順３１: データベース内検索手段を起動する。
【００６７】
手順３２: 検索キーワード入力欄に検索キーワードを入力する。つまり、「カッターシャツ」および「洗濯」と入力する。
【００６８】
手順３３: データベース内検索手段は、検索キーワードの入力に応答して衣服データベース内から洗濯中の「カッターシャツ」を抽出してカッターシャツリストを作成する。
【００６９】
手順３４: データベース内検索手段は、作成したカッターシャツリストを表示部に表示する。図９に、表示されるカッターシャツリストの一例を示す。
【００７０】
手順３５: 表示されたカッターシャツリストの中から当該カッターシャツの収納場所を確認して、当該カッターシャツのデータを「洗濯」から「収納」に変更して衣服データベースを更新する。なお、カッターシャツリストの表示データのみで収納場所を特定することができない場合には、写真番号入力欄をクリックしてカッターシャツの写真を表示させる。
【００７１】
しかして、カッターシャツリストにより確認した収納場所に当該カッターシャツを収納する。
【００７２】
このように、本実施形態によれば、収納場所に迷うことなく、カッターシャツを迅速に元の場所に収納することができる。
【００７３】
Ｄ．衣服を洗濯して収納する場合
手順４１: データベース内検索手段を起動する。
【００７４】
手順４２: 検索キーワード入力欄に検索キーワードを入力する。つまり、「洗濯」と入力する。
【００７５】
手順４３: データベース内検索手段は、検索キーワードの入力に応答して衣服データベース内から洗濯中の衣服を抽出して洗濯中衣服リストを作成する。
【００７６】
手順４４: データベース内検索手段は、作成した洗濯中衣服リストを表示部に表示する。図１０に、表示される洗濯中衣服リストの一例を示す。
【００７７】
手順４５: 洗濯中衣服リストにしたがって洗濯ものの仕分けを行って収納する。なお、洗濯中衣服リストの表示データのみで収納場所を特定することができない場合には、写真番号入力欄をクリックして当該洗濯ものの写真を表示させる。
【００７８】
手順４６:データを「洗濯」から「収納」に変更して衣服データベースを更新する。なお、収納作業の際に、いたんだ衣服や色褪せした衣服などを発見し、そのいたみや色褪せが修復不能であれば、当該衣服のデータを「洗濯」から「廃棄」に変更して衣服データベースを更新する。また、廃棄するのをためらうのであれば、当該衣服のデータを「洗濯」から「保留」に変更して衣服データベースを更新する。
【００７９】
このように、本実施形態よれば、洗濯ものの仕分けが効率的になされ、洗濯ものの片づけが迅速になされる。
【００８０】
Ｅ．廃棄保留中の衣服の廃棄を決定する場合
手順５１: データベース内検索手段を起動する。
【００８１】
手順５２: 検索キーワード入力欄に検索キーワードを入力する。つまり、「保留」と入力する。
【００８２】
手順５３: データベース内検索手段は、検索キーワードの入力に応答して衣服データベースから保留中の衣服を抽出して保留中衣服リストを作成する。
【００８３】
手順５４: データベース内検索手段は、作成した保留中衣服リストを表示部に表示する。図１１に、表示される保留中衣服リストの一例を示す。
【００８４】
手順５５: 保留中衣服リストにしたがって保留中の衣服の処理を決定する。つまり、「利用継続」(収納)とするか「廃棄」とするかを決定する。なお、保留中衣服リストの表示データのみで処理を決定することができない場合には、写真番号入力欄をクリックして当該保留中の衣服の写真を表示させる。
【００８５】
手順５６:決定した処理にしたがいデータを更新するとともに、「廃棄」とした衣服については、衣装ケースなどから取り出して実際に廃棄処分する。
【００８６】
このように、本実施形態によれば、廃棄保留中の衣服について実際に廃棄する衣服のみを衣装ケースから取り出して廃棄処分する一方、利用するとした衣服についてはデータを「収納」と変更するだけでよいので、衣服の整理が効率よくなされる。
【００８７】
なお、本実施形態では、状態入力欄に「使用」と「洗濯」とを区別して入力するようにされているが、「持出」として一本化するようにされて、管理の簡素化が図られてもよい。
【００８８】
その逆に、「洗濯」が「クリーニング」と「自己洗濯」とに区分されて、管理の密度が向上されてもよい。そして、このようにすれば、どの衣服をクリーニングに出したかが明確になり、クリーニング屋に取りに行くのを忘れることがなくなる。
【００８９】
実施形態２
本発明の実施形態２は実施形態１を改変してなるものであって、「保留」とされた衣服のデータ（図１１参照）を定期的に表示部に自動表示させて不要な衣服の廃棄を「きっぱり」とするようにさせるものである。
【００９０】
つまり、衣服データベースの状態欄に「保留」と入力された衣服を定期的に自動抽出して保留衣服リストを自動的に作成して表示部に自動表示するようにさせるものである。
【００９１】
ここで、保留衣服リストを表示させる間隔は、例えば一か月毎、三か月毎、半年毎などとされる。
【００９２】
このように、本実施形態によれば、廃棄するか否かについて迷っている衣服のリストが定期的に表示部に自動表示されるので、中途半端なままで放置しておくことが許されなくなり、不要衣服の廃棄の促進が図られる。
【００９３】
実施形態３
本発明の実施形態３は実施形態２を改変してなるものであって、購入日または初めての収納日(以下、初日という)から、一定期間経過した衣服を自動的に「保留」リストに追加して表示部に自動表示させて不要な衣服が溜まるのを防止するようにさせるものである。
【００９４】
ここで、一定期間は初日から三年などとされる。なお、この一定期間は、衣服の種類に応じて異なるとようにされてもよい。例えば、ショーツや靴下などの消耗品的な衣服は短くされ、コートなどの耐久品的な衣服は長くされてもよい。
【００９５】
このように、本実施形態によれば、初日から一定期間経過した衣服が自動的に保留リストに追加されて表示部に表示されるので、あまり使用していなくて忘れているような衣服の廃棄が促進され、整理ダンスや衣装ケースの整理が効率的になされる。
【００９６】
実施形態４
本発明の実施形態４は実施形態２を改変してなるものであって、「廃棄」とされた衣服の廃棄衣服データベースを作成するものとされる。廃棄衣服データベースには、図１２に示すように、廃棄年月日入力欄が設けられるものとされる。
【００９７】
以上、本発明を実施形態に基づいて説明してきたが、本発明はかかる実施形態のみに限定されるものではなく、種々改変が可能である。
【００９８】
例えば、実施形態では説明の簡素化の観点から、ワンルームでシングルライフを楽しむ独身女性を例に取り説明されているが、本発明の適用は独身女性に限定されるもののではなく、一般家庭においても適用可能である。
【００９９】
すなわち、衣服データベースに主人、主婦である私、息子、娘などの使用者名を入力する使用者名入力欄を設けて、私が家族全員の衣服の管理や廃棄をなすようにされてもよい。
【０１００】
また、衣服データベースに、廃棄予定日を入力する廃棄予定日欄を設けるようにされてもよい。このようにすることにより、常に「廃棄」が意識されて整理が促進される。
【０１０１】
また、本実施形態では衣服を例にとり説明されているが、本発明の適用は衣服に限定されるものではなく、靴、ハンドバック、鞄などの整理にも適用が可能である。
【産業上の利用可能性】
【０１０２】
本発明は住宅産業およびコンピュータ産業に適用できる。
【符号の説明】
【０１０３】
１        クローゼット
２        衣装ケース
３        整理ダンス
４        衣装掛け
【図１】
2014142857.tif 000003
【図２】
2014142857.tif 000004
【図３】
2014142857.tif 000005
【図４】
2014142857.tif 000006
【図５】
2014142857.tif 000007
【図６】
2014142857.tif 000008
【図７】
2014142857.tif 000009
【図８】
2014142857.tif 000010
【図９】
2014142857.tif 000011
【図１０】
2014142857.tif 000012
【図１１】
2014142857.tif 000013
【図１２】
2014142857.tif 000014